(57)【特許請求の範囲】
【請求項１】
複数階を有する建物を垂直方向に貫通し、かつ防火区画壁によって形成されたパイプシャフト内に、空調用の熱源水が流通する竪配管が位置し、この竪配管と所定の階にある空調機との間に熱源水の分岐配管を施工するにあたり、
一端が空調機の設置される階のパイプシャフト予定域の外側に開口し、他端がパイプシャフト予定域内に開口する鞘管を、前記空調機が設置される階の上階の階床部を構成するスラブに予め埋設する第１の工程と、
その後パイプシャフト予定域に竪配管を施工する第２の工程と、
その後前記竪配管と接続される柔軟性のある樹脂管からなる分岐管を前期鞘館内に配管し、当該分岐管を竪配管に接続し、さらに鞘管の開口端部と分岐管との間に耐火材を充填する第３の工程と、
その後防火区画壁を施工してパイプシャフトを形成する第４の工程とを有することを特徴とする、空調用配管の施工方法。
【請求項２】
複数階を有する建物を垂直方向に貫通し、かつ防火区画壁によって形成されたパイプシャフト内に、空調用の熱源水が流通する竪配管が位置し、この竪配管と所定の階にある空調機との間に熱源水の分岐配管を施工するにあたり、
一端が空調機の設置される階のパイプシャフト予定域の外側に開口し、他端がパイプシャフト予定域内に開口する鞘管を、前記空調機が設置される階の階床部を構成するスラブに予め埋設する第１の工程と、
その後パイプシャフト予定域に竪配管を施工する第２の工程と、
その後前記竪配管と接続される柔軟性のある樹脂管からなる分岐管を前記鞘管内に配管し、当該分岐管を竪配管に接続し、さらに鞘管の開口端部と分岐管との間に耐火材を充填する第３の工程と、
その後防火区画壁を施工してパイプシャフトを形成する第４の工程とを有することを特徴とする、空調用配管の施工方法。
【発明の詳細な説明】
【０００１】
【発明の属する技術分野】
本発明は、建物を垂直方向に貫通するパイプシャフト内に位置する空調用熱源水の竪配管と、この建物の所定の階にある空調機との間に熱源水の分岐配管を施工する、空調用配管の施工方法に関するものである。
【０００２】
【従来の技術】
例えば建物内のパイプシャフトは防火区画壁によって形成されることがあるが、この防火区画壁によって形成されたパイプシャフト内の竪配管と、各階に設置される空調機との間に、空調用熱源水の分岐配管を施工する場合、従来は次のような施工手順を踏んでいた。
【０００３】
まず、パイプシャフト予定域を残して各階の階床を構成するスラブを施工する。次いでパイプシャフト予定域に竪配管を施工する。その後防火区画壁を施工してパイプシャフトを完成させる。そして空調機が設置される同一の階のパイプシャフト内にて、竪配管に分岐管の一端を接続して分岐取り出しを行い、防火区画壁を貫通させて当該空調機にこの分岐管を接続するようにしていた。
【０００４】
【発明が解決しようとする課題】
しかしながら前記従来の技術では、竪配管に分岐管の一端を接続して分岐取り出しを行う作業が、防火区画壁施工後のパイプシャフト内で行うため、狭所での作業となり、非常に面倒であった。しかも分岐管が防火区画壁を貫通するため、当該貫通部の耐火処理が別途必要となり、その分労力、時間を要していた。そしてかかる分岐管の接続等は、竪配管を施工した後、防火区画壁の施工の完了を待ってから行なわなければならず、工程計画が難しく、また工期が長期化するおそれがあった。すなわち、防火区画壁の施工を行う作業員と、空調用熱源水の竪配管並びに当該竪配管と空調機との間の配管接続を行う作業員とは、その専門性が異なっているため各々異別の業者が行っているのが常であり、そのように一旦竪配管を行った作業員が、防火区画壁の施工の完了を待って、再び配管接続作業を行うのでは効率が悪く、そのため結果的に配管工事の工期が長期化したり、コストが高騰するおそれがあったのである。
【０００５】
本発明はかかる点に鑑みてなされたものであり、作業性が良好であり、しかも工程上効率のよい施工方法を提供して、前記問題の解決を図ることを目的としている。
【０００６】
【課題を解決するための手段】
前記目的を達成するため、請求項１によれば、複数階を有する建物を垂直方向に貫通し、かつ防火区画壁によって形成されたパイプシャフト内に、空調用の熱源水が流通する竪配管が位置し、この竪配管と所定の階にある空調機との間に熱源水の分岐配管を施工するにあたり、一端が空調機の設置される階のパイプシャフト予定域の外側に開口し、他端がパイプシャフト予定域内に開口する鞘管を、前記空調機が設置される階の上階の階床部を構成するスラブに予め埋設する第１の工程と、その後パイプシャフト予定域に竪配管を施工する第２の工程と、その後前記竪配管と接続される柔軟性のある樹脂管からなる分岐管を前記鞘管内に配管し、当該分岐管を竪配管に接続し、さらに鞘管の開口端部と分岐管との間に耐火材を充填する第３の工程と、その後防火区画壁を施工してパイプシャフトを形成する第４の工程とを有することを特徴とする、空調用配管の施工方法が提供される。
【０００７】
かかる施工方法によれば、パイプシャフトを形成する防火区画壁を施工する前に、竪配管と接続される柔軟性のある樹脂管からなる分岐管をスラブ内の鞘管内に配管して竪配管と接続するようにしたので、作業スペースが広いなど作業性が良好で、しかも工程上の無駄がない。さらに鞘管内に分岐管を配管した後、鞘管の開口端部と分岐管との間に、耐火パテなどの耐火材を充填するようにしたので、防火性の良好な配管とすることができる。なお空調機と分岐管との接続は、パイプシャフトの施工の前であっても、後であってもよく、また鞘管の他端がパイプシャフト予定域内に開口する階については、空調機が設置される階又はその上階のいずれであってもよい。
【０００８】
さらにまた分岐管自体は、１本の単独の管で構成する場合だけでなく、適宜曲管、直管を接続したものであってもよい。すなわち、本発明における分岐管とは実質的に分岐管を構成するものをいう。この分岐管は、空調用の熱源水が流れるものであり、また鞘管内を配管させるものであるから、例えばポリブテン管や架橋ポリエチレン管などのように、断熱性、柔軟性が良好な樹脂管が適している。なお本願でいう「複数階を有する建物を垂直方向に貫通し、かつ壁体によって形成されたパイプシャフト」とは、各階毎に床が形成されている場合の当該床を貫通するパイプシャフトはもちろん、そのようにシャフト内に各階毎に床が形成されていない場合も含むものである。
【０００９】
この請求項１の施工方法では、空調機が設置される階の上階の階床部を構成するスラブに埋設するようにしているから、空調機が天井に近い部分に据え付けられる場合に適している。また後述の実施の形態で示したように、配管内のエアが自然に上方に抜けていくというメリットがある。
【００１０】
請求項２の施工方法は、基本的には、請求項１と同様な工程を採用するが、鞘管を埋設するスラブを、空調機が設置される階と同じ階の階床部に設定した点が異なっている。したがってこの請求項２の施工方法は、空調機が床に近い部分に据え付けられる場合に適している。他の作用効果については請求項１の場合と同じである。
【００１２】
【発明の実施の形態】
以下、図面に基づいて本発明の好ましい実施の形態にかかる施工方法について説明する。まず図１に示したように、スラブ１を施工するのであるが、このスラブ１は、空調機２が設置される階Ａの上の階Ｂの階床部を構成するものである。このスラブ１を施工する際、コンクリートスラブの場合にはコンクリートを打設する前に、予め鞘管３を所定位置にセットする。もちろんスラブ１の施工時には、後述の竪配管５がスラブ１を貫通する箇所に、スリーブ６により貫通孔４を形成しておく。
【００１３】
前記所定位置とは、鞘管３の一端の開口部３ａが、空調機２が設置される階Ａにおけるパイプシャフト予定域Ｃの外側（すなわち後述の防火区画壁２１の外側）に開口し、かつ他端の開口部３ｂが、パイプシャフト予定域Ｃの内側に開口するように埋設する。本実施形態では、他端の開口部３ｂは、空調機２が設置される階Ａの上の階Ｂにおいてパイプシャフト予定域Ｃの内側に開口するように設定した。なおこの鞘管３の呼び径は、２８φである。
【００１４】
次に図２に示したように、パイプシャフト予定域Ｃに、竪配管５を施工する。このとき、スラブ１の貫通箇所には既述したように、スリーブ６が装着してあり、スリーブ６内に耐火充填材７を充填して埋戻し耐火処理を行う。
【００１５】
次に図３に示したように、鞘管３内に分岐管１１を配管し、その一端部を竪配管５の所定箇所、本実施の形態においては、空調機２が設置される階Ａの上の階Ｂにおけるパイプシャフト予定域Ｃ内で、竪配管５と接続し、分岐取り出しを行った。本実施の形態で用いた鞘管３は、エルボウ部があるので、鞘管３内に分岐管１１を配管するにあたっては、分岐管１１に柔軟性が必要である。したがって、本実施の形態で使用した分岐管１１は、柔軟性が良好な呼び径１６のポリブテン管を分岐管に用いた。
【００１６】
かかる分岐管１１の鞘管３内の配管、及び竪配管５への接続は、未だ防火区画壁がない状態で実施できるから、作業性が良好である。なお鞘管３の長さが１ｍ未満の場合には、鞘管３の両端部の分岐管１１との間に耐火パテ１２を充填して、耐火処理を行う。
【００１７】
その後図４に示したように、防火区画壁２１を施工してパイプシャフト２２を完成させる。次いで、図５に示したように、分岐管１１の他端部を、必要に応じて適宜の接続管１３を用いるなどして、空調機２と接続すれば、パイプシャフト２２内の竪配管５と空調機２との間の配管接続が完了する。なお空調機２への接続は、防火区画壁２１の施工前に行ってもよい。
【００１８】
以上のように、本実施の形態にかかる施工方法によれば、防火区画壁２１の施工の完了を待たず、それにに先行して分岐管１１の配管接続が行えるので、作業性が良好で、しかも工程上の無駄がない。従って、工期の短縮化や労力の軽減化が実現でき、効率のよい施工が行える。また分岐管１１内のエアが自然と上方に抜けていくというメリットも得られる。。
【００１９】
なお前記実施の形態では、空調機２がスラブ１から吊下支持される場合の施工例であったが、図６に示したように、空調機２が上の階Ｂの床近傍に設置される場合、すなわちスラブ１の上側近傍に設置される場合には、鞘管３０の一端部３ａが、当該上の階Ｂに開口するように埋設すればよい。したがってこの場合には、結果的に、空調機２が設置される階と同じ階の階床部に、鞘管３０が埋設されることになる。
【００２０】
【発明の効果】
本発明によれば、パイプシャフトを形成する防火区画壁を施工する前に、竪配管と接続される柔軟性のある樹脂管からなる分岐管を、スラブ内の鞘管内に配管して竪配管と接続するので、作業性が良好である。しかも同業種の作業員が連続して竪配管の施工、分岐管の配管接続を実施できるから、工程上の無駄がない。したがって、職種ごとの作業が輻輳することが防げ、工期の短縮化が図れ、効率のよい施工が行える。しかも防火性の良好な配管とすることができる。
【図面の簡単な説明】
【図１】  本発明の実施の形態にかかる空調用配管の施工方法の施工過程を示し、スラブに鞘管を埋設した状態を示す説明図である。
【図２】  本発明の実施の形態にかかる空調用配管の施工方法の施工過程を示し、パイプシャフト予定域に竪配管を施工した状態を示す説明図である。
【図３】  本発明の実施の形態にかかる空調用配管の施工方法の施工過程を示し、竪配管に分岐管を接続した状態を示す説明図である。
【図４】本発明の実施の形態にかかる空調用配管の施工方法の施工過程を示し、防火区画壁を施工した状態を示す説明図である。
【図５】本発明の実施の形態にかかる空調用配管の施工方法にしたがって施工が完了した状態を示す説明図である。
【図６】本発明の他の実施の形態にかかる空調用配管の施工方法にしたがって施工が完了した状態を示す説明図である。
【符号の説明】
１    スラブ
２    空調機
３    鞘管
３ａ、３ｂ    開口部
５    竪配管
１１    分岐管
Ａ    空調機が設置される階
Ｂ    上の階
Ｃ    パイプシャフト予定域
【図１】
0003990021.tif 000002
【図２】
0003990021.tif 000003
【図３】
0003990021.tif 000004
【図４】
0003990021.tif 000005
【図５】
0003990021.tif 000006
【図６】
0003990021.tif 000007